(57)【要約】      （修正有）【課題】乾電池だけを主電源にする眼鏡立てではなく、ダイナモ、太陽電池と充電用電池、および携帯充電機能を設けることにより、停電時や地震などの災害時の簡易照明、および情報ならびに通信手段の確保にも使用できる多機能マルチスタンドを提供する。【解決手段】多機能マルチスタンド本体１の前面または、背面に太陽電池及び時計３を設け、さらに台部１ｂの内部にダイナモ、ラジオ受信回路、警報音発生回路、携帯充電回路、転倒スイッチ、照明用発光ダイオードを備える。さらに、ダイナモハンドル６を回すことにより本体に有する充電用電池ならびに緊急時、携帯電話器にも充電ができ、電池交換を不要にしたことを特徴として多機能マルチスタンドを形成する。【選択図】図１
0003177967.tif 000002
【実用新案登録請求の範囲】
【請求項１】
筒状本体と、前記筒状本体の一方の側面に備えた時計表示部と、前記筒状本体に携帯電話を充電するための携帯充電回路、ラジオ受信回路、警報音発生回路及び時計制御回路が内蔵され、前記各々の回路に電気を供給するため前記筒状本体他方側面に備えた太陽電池と、前記太陽電池と同じく前記各々の回路に電気を供給するため前記筒状本体下部側面にダイナモを備えることを特徴とする多機能マルチスタンド。
【請求項２】
前記筒状本体側面に本体制御プラグと前記制御プラグに接続された引っ張りリングからなる警報用スイッチを設けたことを特徴とする請求項１記載の多機能マルチスタンド。
【考案の詳細な説明】
【技術分野】
【０００１】
本考案は、太陽電池、又は、ダイナモにより発電された電気又は、それを充電用電池に充電した電気で、携帯電話の充電、ラジオ、警報発生、又は、時計の機能を行えるようにした、眼鏡立てなどに使える多機能マルチスタンドに関するものである。
【背景技術】
【０００２】
通常、多機能マルチスタンドの照明部分に使う電源については、おもに乾電池が使用されており、乾電池が消耗した場合を考慮して、乾電池を別途備えておく必要がある。また、ダイナモを備えているが、充電池のみに充電する機能しか有していなかった。なお、地震などには有効な眼鏡立てには照明機能や警報機能などを、すでに備えている物があるが大震災などでは長期間、商用電源が復旧しない場合には、携帯充電機能がないため携帯電話機が使用不能になることを考慮して、ダイナモ付きの携帯充電器を別途備えておく必要があった。
【０００３】
例えば、特許文献１に記載のように、電池の消耗を消費電流の少ないＬＥＤに切換えて電池の消耗を防いでいる眼鏡立てが提案されているが、いずれ電池は消耗するためＬＥＤは点灯しなくなる。
【０００４】
また、特許文献２に記載のように、本体にラジオ機能、警報音機能、及び持ち上げたときや、本体が転倒したときに照明用ＬＥＤが点灯する眼鏡立てが提案されているが電池が消耗すれば使用できなくなる。
【先行技術文献】
【特許文献】
【０００５】
【特許文献１】実新案３１０２０６７号公報
【特許文献２】実新案３１１６０２６号公報
【考案の概要】
【考案が解決しようとする課題】
【０００６】
しかし、上記何れの提案も電源が乾電池であり、本体を持ち上げたり、本体が転倒したときに発光ダイオードが点灯するものであったり、その本体にラジオ受信機能、警報音発生機能を備えているが、電源の乾電池が消耗したときには使用できないなどの問題点がある。
【０００７】
本考案は上記問題点を解消し、乾電池だけを主電源にする眼鏡立てではなく、ダイナモ、太陽電池と充電用電池、および携帯充電機能を設けることにより、停電時や地震などの災害時の簡易照明、および情報ならびに通信手段の確保にも使用できることを目的とする。
【課題を解決するための手段】
【０００８】
眼鏡を入れることができる筒状の本体の前面又は背面に太陽電池及び時計表示部を備え、本体の底部にダイナモ及び、携帯電話を充電する携帯充電回路、ラジオ受信回路、警報音発生回路、時計制御回路を設け、ダイナモ又は太陽電池で発電した電気、又は、それを充電用電池に充電した電気を、携帯充電回路、ラジオ受信回路、警報音発生回路に供給することにより、携帯電話への充電、警報音発生、ラジオ、又は、時計の機能を備えるようにしたことを特徴とする多機能マルチスタンド。
【０００９】
上記多機能マルチスタンドに、制御プラグとそれに接続された引っ張りリングからなる警報用スイッチを設け、制御プラグを挿入した状態ではオフ、引っ張りリングを引っ張って制御プラグを引き抜いたときにオンとなって、警報音を発生するようにしたことを特徴とする多機能マルチスタンド。
【考案の効果】
【００１０】
本考案の多機能マルチスタンドは、ダイナモまたは、太陽電池からの電流で常に、充電用電池を充電状態におくことで、乾電池の電池交換が不要になり経済的な多機能マルチスタンドである。
【００１１】
本考案の多機能マルチスタンドは、真っ暗で太陽電池が機能しない場合には、ダイナモのハンドルを回すことにより、充電用電池に充電することができ、さらに時計ユニットの取り付けは、面ファスナ、粘着テープ又は磁石で眼鏡立てに容易に装着できる。
【００１２】
多機能マルチスタンド内部にはラジオ回路、警報音発生回路、携帯電話充電回路、ダイナモを備えており、スイッチの切換えで緊急時には携帯電話にも充電を行うことを可能にしている。
【図面の簡単な説明】
【００１３】
【図１】多機能マルチスタンドの正面斜視図
【図２】多機能マルチスタンドの裏面斜視図
【図３】多機能マルチスタンドの底面図
【図４】多機能マルチスタンドの内部部品配置図
【図５】多機能マルチスタンドの回路基板図
【図６】多機能マルチスタンドの回路図
【考案を実施するための形態】
【００１４】
本考案は、太陽電池、又は、ダイナモにより発電された電気又は、それを充電用電池に充電した電気で、携帯電話の充電、ラジオ、警報音発生、又は、時計の機能を行えるようにした、眼鏡立てなどにも使える多機能マルチスタンドである。以下、本考案の多機能マルチスタンドの実施例を説明する。図１から図３は多機能マルチスタンドを示す斜視図及び底面図であり、図４及び図５は内部部品配置図と回路基板図で、図６は回路図である。
【００１５】
本考案の多機能マルチスタンドは、図１から図５に示すように、筒状本体１ａと、下部の台部１ｂ、底板１ｃで構成されており、底板１ｃと台部１ｂの下面には図示しないビスによって底板１ｃが固定されている。また、筒状本体１ａと台部１ｂ、底板１ｃはそれぞれ例えばABS樹脂などの硬質プラスチックの成型品で構成されている。内部の空間には照明用発光ダイオード８、ダイナモ６ｂ、ダイナモギヤー６a、小型スピーカ１０、転倒スイッチ４、充電用電池７、電源スイッチ５、その上部にはラジオ受信回路１２ａ及び警報音発生回路１２ｂ、携帯充電回路１２ｆの必要な部品を実装された回路基板１２が収納されている。
【００１６】
図１に示すように、成型品で出来た筒状本体１ａの前面に脱着可能な時計表示部３を設け、またこの時計表示部３には電源が内蔵されており、筒状本体１aから取り外して独立して使用できるようになっている。
【００１７】
図２に示すように、成型品で出来た筒状本体１ａの背面に太陽電池２を設け、太陽光などで充電用電池７に充電するようになっている。また図おいて台部1bの横には、ダイナモ６ｂで充電するためのハンドル６ｄ取り付けてあり、ハンドル６ｄ部分は通常その部分に収納されており、使用時はハンドル６ｄを凹から起し伸張して使用する。なお、ダイナモハンドル６はハンドル６ｄを伸張した図である。
【００１８】
図３は多機能マルチスタンドの底板１ｃの図で、転倒検知ノブ４a、電源スイッチ５、ＬＥＤ窓１ｄ、照明用発光ダイオード８、放音穴１０a、引っ張り用リング１１a、制御プラグ１１ｂがあり、放音穴１０aはラジオの音声および警報音の放音穴の役目もかねている。転倒検知ノブ４ａは通常、筒状本体１ａの重量で底板１ｃの内部に押し込まれているが、多機能マルチスタンド１が転倒したり、手で持ち上げたりすると電源スイッチ５がオンになっていると照明用発光ダイオード８がオンになる機構になっており、照明が不要の時には電源スイッチ５でオフにすることもできる。
【００１９】
つぎに、図４は台部１ｂの内部部品配置図で台部１ｂの側面の内部に警報用スイッチ１１を設けて、制御プラグ１１ｂを挿入することによってオフ、引き抜くことによってオンになる構造のもので、すなわち防犯ブザーのスイッチと同様なものである。引っ張り用リング１１ａは制御プラグ１１ｂと固定されており、外部から抜き差しができるようにしてある。ダイナモ６ｂはダイナモギヤー６ａとダイナモハンドル６を回すことで軸に結合されたダイナモギヤー６ａとダイナモ６ｂが回転する。整流用ブリッジダイオード６ｃはダイナモ６ｂからの電流を整流し、充電切換えスイッチ１２ｈにより充電用電池７に充電または、携帯充電回路１２ｆに供給するためのものである。小型スピーカ１０は厚みの薄い形状のものが使用され、これに対応して底板１ｃの底面には放音穴１０ａが適宣形成されている。照明用発光ダイオード８は底板１ｃに形成されたＬＥＤ窓１ｄに位置し、且つ底板１ｃから突出しない状態で装着されている。なお、抵抗器９は照明用発光ダイオード８の電流制限用のために照明用発光ダイオード８に直列に接続されている。転倒スイッチ４は底板１ｃの形成された溝で固定されており、転倒検知ノブ４ａを底板１ｃから突出する構造になっている。
【００２０】
図５はラジオ受信回路、携帯充電回路及び警報音発生回路の基板で所要の回路パターンによってラジオ受信回路、警報音発生回路、携帯充電回路を構成するものである。ラジオの回路はラジオ受信回路１２ａ、アンテナコイル１２ｅ、同調ツマミ１２ｃ、ボリューム１２ｄのほか、必要な部品が実装されている。なお、同調ツマミ１２ｃとボリューム１２ｄはその一部は台部１ｂの側面から露出し、それぞれ手で操作可能となっている。警報音の回路は警報音発生回路１２ｂのほか必要な部品が実装されている。携帯の充電回路も携帯充電回路１２ｆのほか必要な部品が実装されている。携帯充電出力端子１２ｇおよび充電切換えスイッチ１２ｈの一部は台部１ｂの側面から露出し、充電切換えスイッチ１２ｈのレバー操作できる構造になっており、携帯充電出力端子１２ｇに専用プラグを接続することで充電可能となる。
【００２１】
図６の回路図の詳細について説明する。充電用電池７は照明用発光ダイオード８、ラジオ受信回路１２ａ、警報音回路１２ｂに供給するものであり、ダイナモ６ｂおよび太陽電池２は充電用電池７に接続されており電源スイッチ５と転倒スイッチ４とは直列に接続されており、通常電源スイッチ５はオンになっている。又、転倒スイッチ４は転倒しないときはオフで照明用発光ダイオード８は点灯しないが、多機能マルチスタンド１が転倒してオンになると照明用発光ダイオード８が点灯する。なお、多機能マルチスタンド１を手に持って懐中電灯として使用する場合には電源スイッチ５で照明用発光ダイオード８をオン，オフすることができ、照明が不要なときは電源スイッチ５をオフすることで、電流が流れず充電用電池７の消耗を少なくする。なお、常に太陽電池２とダイナモ６ｂは並列に動作しており、発電した電流は充電用電池７に蓄電できるようになっている。また、太陽電池２と直列に逆流防止ダイオード２ａが接続されており、充電用電池７からの電流が太陽電池２に逆流しないようにしている。なお、ダイナモ６ｂからの電流は充電切換えスイッチ１２ｈの切換えによって携帯充電回路１２ｆ又は充電用電池７の何れかに接続されている。また、警報用スイッチ１１をオンすることにより、警報音発生回路１２ｂが働き小型スピーカ１０より警報音を発する。
【００２２】
時計表示部３は薄いカード型のものであって、図１で示すように筒状本体１ａに面ファスナ、粘着テープ又は磁石で取り付けられている。時計表示部３は液晶の表示部で、時計操作ボタン３ｃを操作することにより時刻合わせなどの設定を行うことができる。時計表示部３の内部には時計制御回路３ａと時計駆動電池３ｂが内蔵されている。
【００２３】
また、ラジオ回路は充電用電池７に常に接続されているので、ボリューム１２ｄを回すことによりラジオの電源をオン、オフすることができる。
【符号の説明】
【００２４】
１  多機能マルチスタンド
１ａ  筒状本体
１ｂ  台部
１ｃ  底板
１ｄ  ＬＥＤ窓
２  太陽電池
２ａ  逆流防止ダイオード
２ｂ  太陽電池への配線
３  時計表示部
３ａ   時計制御回路
３ｂ   時計駆動電池
３ｃ   時計操作部ボタン
４  転倒スイッチ
４ａ   転倒検知ノブ
５  電源スイッチ
６  ダイナモハンドル
６ａ   ダイナモギヤー
６ｂ   ダイナモ
６ｃ   整流用ブリッジダイオード
６ｄ   ハンドル
７  充電用電池
８  照明用発光ダイオード
９  抵抗器
１０  小型スピーカ
１０ａ    放音穴
１０ｂ    ビス穴
１１  警報用スイッチ
１１ａ    引っ張り用リング
１１ｂ    制御プラグ
１２  回路基板
１２ａ    ラジオ受信回路
１２ｂ    警報音発生回路
１２ｃ    同調用ツマミ
１２ｄ    ボリューム
１２ｅ    アンテナコイル
１２ｆ    携帯充電回路
１２ｇ    携帯充電出力端子
１２ｈ    充電切換えスイッチ
【図１】
0003177967.tif 000003
【図２】
0003177967.tif 000004
【図３】
0003177967.tif 000005
【図４】
0003177967.tif 000006
【図５】
0003177967.tif 000007
【図６】
0003177967.tif 000008